(57)【要約】【課題】今、現在、一般的に利用されている洋式便器用便座は、現在の形状では、多くの問題を抱えているのが現実である、便座が人体に接する部分の形状が、利用者、つまり人体が座して時の臀部の形状と逆の形状の為に、利用者が座した時は苦痛を感じることになる。又、その蓋は蓋をする以外はその機能性はまったく無である。【解決手段】したがって人体が便座に接する部分の形状を、人体が便座に座した時に、人体の臀部が座した時の形状に極力近ける事により、利用者の快適性を保ち、機能性と利便性の向上に努めることにする。又、付帯する蓋にも背もたれの機能を持たせることにより、依り快適性を高める事が出来る物である。【選択図】　　　　図１
2004097475.tif 000002
【特許請求の範囲】
【請求項１】
当該便座は、現在一般に普及して利用されている、洋式トイレに使用する為の物であるが、現在、普及して利用されている洋式便器の便座は、つまり、便器本体の上縁部分に、載せる部分は、どれでも、便器本体の上縁部分の形状に合わせて、変形楕円形、楕円形、又は、それに類する形状を保持させて有るが、その変形楕円形又は、楕円形外周の最大部分の大きさは、約３６０ｍｍ前後に保持されており、又その、内側楕円形の内径の最大部分は、約２００ｍｍ前後に設定されているのである、つまり、利用者が利用するとき、便座に座した時には、片方の幅、約８０ｍｍ前後の幅２箇所で、全体重を支える事になり、安定感がなく極めて不安定な状態を保持しなければならないといえる。当該発明品は、変形楕円形や、楕円形の外周部分や形状を美観や機能性、利便性を損ねない程度のおおきさに、変えて約４２０ｍｍ前後、又は、許容範囲内の大きさに変更して、利用者が便座に座した時、便座に人体の臀部があたる部分の有効幅を最大限に大きくする事により、利用者の機能性、利便性、快適性、安定性を図ることにすると言う特徴を持っている。そのために便座の、内楕円形の最大部分を現在より、約１００ｍｍ前後小さくし、又は、内楕円形の最大部分を、必要最低限狭小にする事により、利用者の全体重を支える部分の、最大有効幅を片側最低約８０ｍｍ前後大きくし、又、許容範囲内で出来る限り大きくして、片方で約１６０ｍｍ前後以上、両方で３２０ｍｍ以上の幅を保持する事で、使用者の全体重を支える力を、分散させて苦痛を和らげて、しかも安定感を与えると言う特徴を持っている。又当該便座は座面の表面形状を、人体臀部の座した時の形状に出来る限り合わせて、柔らかい曲面形状を有する凹型、又は平面に近い凹型曲面、平面などにする事により、利用者が座した時に利用者の体重を、点で支える構造から面で支える構造にするという特徴を持っている。　又、当該便座にはその便座に一体化されている蓋は、利用者の背もたれを兼ねると言う特徴を有する。又、あらゆる簡易洋式トイレ等そのほかの洋式トイレ等にも、簡単に利用できるという特徴を持っている。
【発明の詳細な説明】
【０００１】
【発明の属する技術分野】
今、現在一般に利用されている、洋式便器用の便座の形状は一般的には、便器本体上縁部の形状に合わせて変形楕円形又は楕円形の形状に保持されているが、外周部分最大寸法は３６０ｍｍ前後の大きさに設計され、製造販売されて一般に使用されている、又、便座自体の内側の形状も外周の形状に合わせて長楕円形に設計されている、その内径最大寸法は２００ｍｍ前後に設計され製造されて使用されている。それは、あくまで利用者が便座を利用するときに確実に正確な位置に、座しない時でも、ある程度その目的を果たせると言う利点では有るが、そのためにある種の不満足感はいがめないのである。利用者が、正確な位置に座しないで、今までの便座を利用した時は排泄物で、便器本体に付着させたりしてしまう事になる、又、利用者が便器に座した時に、人体臀部があたる部分に、その人の体重を掛ける事に成るが、便座の人体臀部が便座に接する部分の形状が人体臀部の形状とは反対の形状のゆるい曲面を持った凸面の構造の為に、利用者の体重は一点、又は、１点に近い状態で支える事に成り、座する時間が長くなれば成るほど利用者は、苦痛を感じる事になる。
【０００２】
しかも便座の使用できる有効幅は請求項１でも述べるように一般的に長楕円形の内径最大幅が約２００ｍｍであり形状も、大体において外形に合わせてあり、長楕円の形状を保持させてある。したがって便座の人体の臀部に接する有効幅は、ある一定の幅に保たれており、便座のどの位置でも大体その有効寸法は、約８０ｍｍ前後に保持されており、又形状は、人体が座した時の臀部の形状とは、反対の形状であるために、利用者の全体重を点に近い状態で支える事に成り、特に身体的不自由な人、高齢者等は苦痛を強いられる事に成っている。それで内側長楕円形の形状を、出来る限り狭小にして、便座に座するときの有効幅を最大にする事で、利用者の負担を軽減する事が出来る物である。現在、一般的に利用されている便座は、内形の形状を、不必要な大きさに設定されていて、便座のどの位置でも、有効幅は、約８０ｍｍしか無い為に、便座のどの位置に座しても、利用者は何処の位置に座してもある程度の目的は達成する事は出来るが、苦痛を強いられたり又、便器に排泄物を付着させたりして、特に肉体的な弱者は不快感を残したりする。
【０００３】
【従来の技術】
現在、一般的に普及していて利用されている、洋式便座は、前記０００１項０００２項で述べたように、ある程度その目的を果たしているが、それは必ずしも、利用者に快適な排泄物の作業環境を、与えているとは到底言えない構造である。特に肉体的に弱者や、身体的に障害があったりすれば、特にその苦痛は大きな物である、又健全な人達も時と場合に依れば、それが苦痛になったりする事になる。それはまず現在、利用されている洋式便座は、利用者が便座のある程度、どの位置に座しても、目的を果たせるように、設計され普及させている為に、ある程度の坐位置を間違えてもその目的を果たせると言う利点はあるが、不利益を被る事が大である。又、現在の便座に付帯している蓋は、便器に蓋をするという機能以外は、その他の機能や、目的を持たせてないが、当該便座は、蓋をあければそれが便座利用者の背もたれをするという機能を合わせ持っている。
【０００４】
【発明が解決しようとする課題】
現在、一般的に普及して利用されている洋式便器に使われている洋式便座は、ある程度その目的は果たしているが、どれでも皆、前記００１項から０００３項で述べるように、身体的に不自由な人、高齢者又その便座を使用しているあらゆる人達に、便座を利用する場合は、苦痛を強いられたり、不便な状態だったり、又、不快な気持ちで利用せざるを得ないのである。
【０００５】
【課題を解決するための手段】
そこで、当該便座は現在、一般に利用されている便座が持つ不合理性、不快感、非快適性等を取り除くために、便座の内楕円形の最大寸法を、快適に、不快感もなく、確実に、排泄作業が出来ると言う目的が果たせる必要最低限の寸法を選択、決定する事により、利用者が当該便座を利用して便座に座する時に、利用者の臀部が便座に接する部分を最大限大きくして、又出来得る限り正確な位置で、誰でも利用できるように発明された物である。又、便座の人体に接する部分の形状を利用者が当該便座に座した時に利用者の臀部の形状にできうる限り、近付ける事で、利用者の体重の負荷を分散させて、快適性、安定性、利便性を持たせている。又、当該便座の蓋の部分に保持させてある背もたれの機能を使用して利用者が、座した時に軽く背中を持たせる事により、楽な姿勢で、排泄作業をする事が可能であり、その快適性は、計り知れない物がある。
【０００６】
【発明の実施の形態】
ここで図面を参照して発明の実施の形態を説明する。図１は当該発明である人にやさしい便座の平面図である。この平面図の中のＡ−Ａ´からＥ−Ｅ´まで、つまり図２から図６までの断面図でわかるように、当該発明品である人にやさしい便座は、利用者が、当該便座を利用する時に、柔らかい凹型の曲面に合わせて、利用者の臀部を合わせて、座すれば、確実に正確な位置に座する事が出来、又、構造は便座が利用者の臀部に接する部分は、利用者が座した時の臀部の形状に極力近いために、安定感があり、座する時間が長くならざるを得ない人や、又健康な人でも苦痛を覚える事無く、快適に排泄作業をする事ができる。又、正確で確実な位置に座しているために、便器本体に排泄物を付着させたりする事がほとんどなくなり衛生的にも、良好な状態が保たれる事に成る。又、当該、人にやさしい便座に付帯させている蓋は、蓋を持ち上げればすぐに、それが利用者の背もたれになる、構造を持たせている。蓋、図９の１４の部分が、便座本体の上縁部分に接して、９０度以上の大きさに、傾かない構造の為に蓋、図９の６の部分、すなわち図１０図１１の断面図で示すように、その窪み部分に軽く背中を当てれば、背もたれとして活用できる構造になっている為により快適に出来る構造になっている。
【０００７】
【発明の効果】
当該、人にやさしい洋式便器に使用する便座は、今まで述べたように、本製品の利便性、快適性は、計り知れなく、此れからの日本、又、地球規模での、人類に対する貢献は、想像もつかないくらい貢献することは間違いないと言わざるを得ません。特に、此れからの日本は、ますますにおいて高齢化社会を迎えるし、又身体的に不自由な人達、そのほかあらゆる人達の、健康で文化的な生活の向上に資する事は、言うまでも有りません。身近な問題でも今のままでは、健康な人でも、排泄作業をする時には、苦痛を強いられるために、安定性、快適性、機能性のどれでも不満足感を抱えつつも我慢を強いられていると言う現実は、解消できません、しかし、当該人にやさしい便座を使用し、普及させることにより、あらゆる問題は必ず解決する事になります、それは、計り知れないほど、社会的に貢献できる物であります。
【０００８】
【図面の簡単な説明】
【図１】当該発明品である人にやさしい洋式便器に使用する便座の平面図である。
【図２】図１平面図のＡ−Ａ´の断面図である。
【図３】図１平面図のＢ−Ｂ´の断面図である。
【図４】図１平面図のＣ−Ｃ´の断面図である。
【図５】図１平面図のＤ−Ｄ´の断面図である。
【図６】図１平面図のＥ−Ｅ´の断面図である。
【図７】当該人にやさしい洋式便器用便座の側面図である。
【図８】当該人にやさしい洋式便器用便座に付帯する、背もたれ機能を有する蓋の平面図である。
【図９】当該、背もたれ機能を有する蓋の側面図である。
【図１０】図８平面図及び、図９側面図のＨ−Ｈ´の断面図である。
【図１１】図８平面図及び図９側面図Ｇ−Ｇ´の断面図である。
【図１２】当該、人にやさしい洋式便器用便座を、一般の便器に使用した時の平面図である。
【図１３】一般的と思われる洋式便器用便座の平面図である。
【図１４】図１３平面図のＦ−Ｆ´の断面図である。
【図１５】一般的と思われる洋式便器用便座の側面図である。
【図１６】一般的と思われる洋式便器用便座の蓋の平面図である。
【図１７】一般的と思われる洋式便器用便座の蓋の側面図である。
【図１８】図１６平面図及び図１７側面図のＩ−Ｉ´の断面図である。
【０００９】
【符号の説明】
１、　当該人にやさしい洋式便器用便座本体である。
２、　便器本体に、当該人にやさしい洋式便器用便座取り付けヒンジである。
３、　当該便座と便器本体取り付けヒンジ用連結シャフト孔である。
４、　当該便座補強具兼便器本体非保持剤である。
５、　当該人にやさしい洋式便器用便座に付帯する背もたれ機能を有する蓋本体である。
６、　当該便座用蓋の背もたれ部分である。
７、　当該便座用蓋の補強材である。
８、　一般的と思われる洋式便器用便座の便器本体接触部材である。
９、　一般的と思われる洋式便器用便座の便器本体接触部材である。
１０、便器本体取り付け用ネジ孔である。
１１、便器本体取り付けヒンジと便座連結シャフトである。
１２、便器本体取り付けヒンジである。
１３、便座連結シャフト用孔である。
【図１】
2004097475.tif 000003
【図２】
2004097475.tif 000004
【図３】
2004097475.tif 000005
【図４】
2004097475.tif 000006
【図５】
2004097475.tif 000007
【図６】
2004097475.tif 000008
【図７】
2004097475.tif 000009
【図８】
2004097475.tif 000010
【図９】
2004097475.tif 000011
【図１０】
2004097475.tif 000012
【図１１】
2004097475.tif 000013
【図１２】
2004097475.tif 000014
【図１３】
2004097475.tif 000015
【図１４】
2004097475.tif 000016
【図１５】
2004097475.tif 000017
【図１６】
2004097475.tif 000018
【図１７】
2004097475.tif 000019
【図１８】
2004097475.tif 000020